(57)【要約】  【課題】  当該機器が設置されている部屋の照明を消灯した時に、当該機器のメイン電源をオフさせる機能などを有する電子機器を提供する。  【解決手段】  メイン電源がオンされ、当該機器が動作状態になっている時に、部屋の照明が消灯されると、照明検出回路３０の光センサ３０１には光が当たらなくなって、光センサ３０１には電流が流れなくなるので、急激に例えばハイレベルからローレベルに変化した消灯検出信号が、光変化検出手段３０２から出力され、電源制御手段３０３に供給される。電源制御手段３０３は、消灯検出信号によりメイン電源スイッチ回路２８をオフ動作させ、メイン電源３１をオフさせる。これにより、当該機器はスタンバイ状態になり、省電力化を図ることができ、機器の寿命にも影響を与えることが無くなる。【選択図】      図２
2007095127.tif 000002
【特許請求の範囲】
【請求項１】
音声信号を再生して出力、または音声信号および映像信号を再生して出力する電子機器
において、
当該機器が設置されている部屋の明るさに応じた検出信号を出力する光センサと、
この光センサからの検出信号を入力し該検出信号を増幅する増幅回路と、この増幅回路
で増幅された検出信号の急激なレベル変化をした時の検出信号のみを通過させるカップリ
ングコンデンサと、このカップリングコンデンサを通過した検出信号をパルス状に波形整
形するシュミットトリガ回路と、このシュミットトリガ回路からのパルス状の検出信号の
レベルと調整可能な基準レベルとを比較して該検出信号のレベルが基準レベル以下の時に
消灯検出信号を出力すると共に該検出信号のレベルが基準レベルを超える時に点灯検出信
号を出力する比較回路と有し、部屋の照明が点灯状態から消灯状態になった時に前記光セ
ンサからの検出信号のレベル変化により消灯検出信号を出力すると共に、部屋の照明が消
灯状態から点灯状態になった時に前記光センサからの検出信号のレベル変化により点灯検
出信号を出力する光変化検出手段と、
前記消灯検出信号を入力した時はメイン電源スイッチ回路をオフ動作させることにより
メイン電源をオフさせると共に、設定時間内に前記点灯検出信号を入力した時はメイン電
源スイッチ回路をオン動作させることによりメイン電源をオンさせる電源制御手段と、を
有する照明検出回路を備えたことを特徴と電子機器。
【請求項２】
音声信号を再生して出力、または音声信号および映像信号を再生して出力する電子機器
において、
当該機器が設置されている部屋の明るさに応じた検出信号を出力する光センサと、
部屋の照明が点灯状態から消灯状態になった時に前記光センサからの検出信号のレベル
変化により消灯検出信号を出力すると共に、部屋の照明が消灯状態から点灯状態になった
時に前記光センサからの検出信号のレベル変化により点灯検出信号を出力する光変化検出
手段と、
前記消灯検出信号を入力した時はメイン電源スイッチ回路をオフ動作させることにより
メイン電源をオフさせると共に、設定時間内に前記点灯検出信号を入力した時はメイン電
源スイッチ回路をオン動作させることによりメイン電源をオンさせる電源制御手段と、を
有する照明検出回路を備えたことを特徴と電子機器。
【請求項３】
前記光変化検出手段は、光センサからの検出信号を入力し該検出信号を増幅する増幅回
路と、この増幅回路で増幅された検出信号の急激なレベル変化をした時の検出信号のみを
通過させるカップリングコンデンサと、このカップリングコンデンサを通過した検出信号
をパルス状に波形整形するシュミットトリガ回路と、このシュミットトリガ回路からのパ
ルス状の検出信号のレベルと調整可能な基準レベルとを比較して該検出信号のレベルが基
準レベル以下の時に消灯検出信号を出力すると共に該検出信号のレベルが基準レベルを超
える時に点灯検出信号を出力する比較回路と有することを特徴とする請求項２に記載の電
子機器。
【発明の詳細な説明】
【技術分野】
【０００１】
本発明は、音声信号を再生して出力するＣＤプレイヤやステレオ装置などのオーディオ
機器、または音声信号および映像信号を再生して出力するビデオカセットレコーダやＤＶ
ＤプレイヤあるいはＤＶＤレコーダなどのＡＶ機器等の電子機器に関し、特に、部屋の照
明が消灯された時に当該機器のメイン電源をオフさせる機能を有する電子機器に関する。
【背景技術】
【０００２】
従来からリモコンにより操作される家庭用の電子機器が多く普及している。例えば、オ
ーディオ機器に関しては、ＣＤに記録された音声信号を再生して音声を出力するＣＤプレ
イヤ、磁気テープやＣＤに記録された音声信号をステレオアンプを通してステレオで音声
を出力するステレオ装置などがある。また、ＡＶ機器の関しては、ビデオカセットに記録
された映像音声信号を再生し、テレビ受信機などのモニタ装置に入力して映像をディスプ
レイ装置に表示させると共に音声をスピーカから出力させるビデオカセットレコーダや、
ＤＶＤに記録された映像音声信号を再生し、同じくテレビ受信機などのモニタ装置に入力
して映像をディスプレイ装置に表示させると共に音声をスピーカから出力させるＤＶＤプ
レイヤあるいはＤＶＤレコーダなどがある。
【０００３】
これらの電子機器は、メイン電源と待機電源を備え、メイン電源を投入するためリモコ
ンの電源キーを押下すると、メイン電源がオンされ、各動作が可能になり、また、メイン
電源を遮断するためリモコンの電源キーを再度押下すると、メイン電源がオフされ、待機
電源からの電圧が特定の構成要素（システムコントローラ等）のみ与えられ、特定の構成
要素が待機状態の動作を可能にしている。
【特許文献１】特開２００５−２５４０９号公報
【特許文献２】特開平１１−３１４４号公報
【特許文献３】特開平９−３１１５９７号公報
【特許文献４】特開平５−１１９８７４号公報
【発明の開示】
【発明が解決しようとする課題】
【０００４】
このような電子機器はリモコンにより操作が行われるが、例えば、ＤＶＤレコーダにお
いてＤＶＤに記録された映像音声信号を再生してテレビ受信機のディスプレイ装置に映像
を表示されると共にスピーカから音声を出力させ、再生が終わり、テレビ番組を視聴する
ためリモコンを操作してテレビ受信機の設定をビデオ側からテレビ側に切り換え、テレビ
番組を楽しむことがある。そして、ユーザが、例えば寝る時刻になってテレビ受信機のメ
イン電源をリモコンの操作によりオフさせることになるが、ＤＶＤレコーダのメイン電源
をオフすることを忘れる場合がある。
【０００５】
通常寝る時刻は夜であるので、テレビ受信機のディスプレイ装置のように表示画面が大
きいものは、メイン電源をオフするのを忘れても、照明を消灯すれば、ディスプレイ装置
の部分が明るく表示しているので、その時に気付いてメイン電源をオフさせることになる
が、ＤＶＤレコーダのように前面パネルの表示部しか備えていないものは、照明を消灯し
ても、メイン電源がオンしているのが気付き難い。
【０００６】
したがって、ＣＤプレイヤやステレオ装置などのオーディオ機器、または音声信号およ
び映像信号を再生して出力するビデオカセットレコーダやＤＶＤプレイヤあるいはＤＶＤ
レコーダなどのＡＶ機器等のような従来の電子機器では、当該機器が設置されている部屋
の照明を消灯しても、メイン電源を自動的にオフすることができないので、メイン電源が
オン状態であると、消費電力が無駄になり、また、機器の寿命にも影響を与えるという課
題が生じる。
【０００７】
なお、特許文献１の従来技術では、所定の照度値を記憶し、検出した照度と記憶した前
記照度値とを比較し、前記検出した照度が前記照度値よりも小さいと判断した場合、電子
機器本体の電源を遮断することにより、周囲の明るさに応じて消費電力を制御可能にして
いるが、照明を消灯した時のように急な明るさの変化で電源を遮断するものではないので
、上記のような課題を解決することができない。
【０００８】
特許文献２の従来技術では、周囲の明るさを検出し、明るさの情報に応じて省電力制御
を行うことにより、周囲の明るさに対応して適切に情報処理装置の省電力制御を行うよう
になっているが、この従来技術も、照明を消灯した時のように急な明るさの変化で電源を
遮断するものではないので、上記のような課題を解決することができない。
【０００９】
特許文献３の従来技術では、プリンタ本体の周囲の明るさが予め設定された明るさより
も暗くなったと判断した場合に、電源回路の電源出力の一部または全部を切断するように
なっているが、この従来技術も、照明を消灯した時のように急な明るさの変化で電源を遮
断するものではないので、上記のような課題を解決することができない。
【００１０】
特許文献４の従来技術では、周囲の明るさに応じて情報処理装置の全回路または一部の
回路を断にするようになっているが、この従来技術も、照明を消灯した時のように急な明
るさの変化で電源を遮断するものではないので、上記のような課題を解決することができ
ない。
【００１１】
本発明は、上記のような課題を解決するためになされたもので、当該機器が設置されて
いる部屋の照明を消灯した時に、当該機器のメイン電源をオフさせる機能などを有する電
子機器を提供することを目的とする。
【課題を解決するための手段】
【００１２】
上記目的を達成するために、請求項１の発明は、音声信号を再生して出力、または音声
信号および映像信号を再生して出力する電子機器において、当該機器が設置されている部
屋の明るさに応じた検出信号を出力する光センサと、この光センサからの検出信号を入力
し該検出信号を増幅する増幅回路と、この増幅回路で増幅された検出信号の急激なレベル
変化をした時の検出信号のみを通過させるカップリングコンデンサと、このカップリング
コンデンサを通過した検出信号をパルス状に波形整形するシュミットトリガ回路と、この
シュミットトリガ回路からのパルス状の検出信号のレベルと調整可能な基準レベルとを比
較して該検出信号のレベルが基準レベル以下の時に消灯検出信号を出力すると共に該検出
信号のレベルが基準レベルを超える時に点灯検出信号を出力する比較回路と有し、部屋の
照明が点灯状態から消灯状態になった時に前記光センサからの検出信号のレベル変化によ
り消灯検出信号を出力すると共に、部屋の照明が消灯状態から点灯状態になった時に前記
光センサからの検出信号のレベル変化により点灯検出信号を出力する光変化検出手段と、
前記消灯検出信号を入力した時はメイン電源スイッチ回路をオフ動作させることによりメ
イン電源をオフさせると共に、設定時間内に前記点灯検出信号を入力した時はメイン電源
スイッチ回路をオン動作させることによりメイン電源をオンさせる電源制御手段とを有す
る照明検出回路を備えたことを特徴と電子機器を提供する。
【００１３】
この構成において、メイン電源がオンされ、当該機器が動作状態になっている時に、部
屋の照明が消灯されると、照明検出回路の光センサには光が当たらなくなって、光センサ
には電流が流れなくなるので、増幅回路の出力端子の電位は例えば急激に下がる。即ち、
増幅回路の出力端子からは、急激にハイレベルからローレベルに変化した検出信号が出力
されることになる。そして、この検出信号は、過度現象によりカップリングコンデンサを
通過し、更にシュミットトリガ回路でパルス状に波形整形される。
【００１４】
シュミットトリガ回路によりパルス状に波形整形されたローパルス状の検出信号のレベ
ルは、比較回路で基準レベルと比較され、基準レベル以下であると、ハイレベルの信号が
消灯検出信号として出力される。前記消灯検出信号が光変化検出手段から出力されること
により、部屋の照明が消灯されたことが検出され、比較回路から電源制御手段に前記消灯
検出信号が供給される。電源制御手段は、ハイレベルの消灯検出信号によりメイン電源ス
イッチ回路をオフ動作させ、メイン電源をオフさせる。これにより、当該機器はスタンバ
イ状態になる。
【００１５】
このように部屋の照明が消灯され、当該機器がスタンバイ状態になっている時に、部屋
の照明が点灯されると、光センサに光が当たり、検出信号が流れるので、増幅回路の出力
端子の電位は例えば急激に上がる。即ち、増幅回路の出力端子からは、急激にローレベル
からハイレベルに変化した検出信号が出力されることになる。そして、この検出信号は、
過度現象によりカップリングコンデンサを通過し、更にシュミットトリガ回路でパルス状
に波形整形される。
【００１６】
シュミットトリガ回路によりパルス状に波形整形されたハイパルス状の検出信号のレベ
ルは、比較回路の基準レベルと比較され、基準レベルを超えると、ローレベルの信号が点
灯検出信号として出力される。前記点灯検出信号が光変化検出手段から出力されることに
より、部屋の照明が点灯されたことが検出され、比較回路から電源制御手段に前記消灯検
出信号が供給される。電源制御手段は、設定時間内に入力されたローレベルの点灯検出信
号が有れば、メイン電源スイッチ回路をオン動作させ、メイン電源をオンさせる。
【００１７】
この構成によれば、当該機器が設置されている部屋の照明を消灯した時に、当該機器の
メイン電源を自動的にオフすることができるので、省電力化を図ることができ、機器の寿
命にも影響を与えることが無くなる。また、照明を点灯させた時に、設定時間内であれば
、当該機器のメイン電源を自動的にオンさせることができるので、ユーザが一旦部屋を離
れる場合に照明を消灯した時に、当該機器のメイン電源がオフされても、設定時間内に、
もう一度部屋に戻って照明を点灯させた時には、当該機器のメイン電源が自動的にオンさ
れ、これにより、当該機器のメイン電源を入れ直すリモコン操作の必要が無くなって便利
になり、また、照明が消灯されている間は当該機器のメイン電源はオフされているので、
省電力化も図れる。
【００１８】
請求項２の発明は、音声信号を再生して出力、または音声信号および映像信号を再生し
て出力する電子機器において、当該機器が設置されている部屋の明るさに応じた検出信号
を出力する光センサと、部屋の照明が点灯状態から消灯状態になった時に前記光センサか
らの検出信号のレベル変化により消灯検出信号を出力すると共に、部屋の照明が消灯状態
から点灯状態になった時に前記光センサからの検出信号のレベル変化により点灯検出信号
を出力する光変化検出手段と、前記消灯検出信号を入力した時はメイン電源スイッチ回路
をオフ動作させることによりメイン電源をオフさせると共に、設定時間内に前記点灯検出
信号を入力した時はメイン電源スイッチ回路をオン動作させることによりメイン電源をオ
ンさせる電源制御手段とを有する照明検出回路を備えたことを特徴と電子機器を提供する
。
【００１９】
この構成において、メイン電源がオンされ、当該機器が動作状態になっている時に、部
屋の照明が消灯されると、照明検出回路の光センサには光が当たらなくなって、光センサ
には電流が流れなくなるので、急激に例えばハイレベルからローレベルに変化した消灯検
出信号が、光変化検出手段から出力され、電源制御手段に供給される。電源制御手段は、
消灯検出信号によりメイン電源スイッチ回路をオフ動作させ、メイン電源をオフさせる。
これにより、当該機器はスタンバイ状態になる。
【００２０】
このように部屋の照明が消灯され、当該機器がスタンバイ状態になっている時に、部屋
の照明が点灯されると、光センサに光が当たり、点灯検出信号が流れるので、点灯検出信
号が、光変化検出手段から出力され、電源制御手段に供給される。電源制御手段は、設定
時間内に入力された点灯検出信号が有れば、この点灯検出信号によりメイン電源スイッチ
回路をオン動作させ、メイン電源をオンさせる。
【００２１】
この構成によれば、当該機器が設置されている部屋の照明を消灯した時に、当該機器の
メイン電源を自動的にオフすることができるので、省電力化を図ることができ、機器の寿
命にも影響を与えることが無くなる。また、照明を点灯させた時に、設定時間内であれば
、当該機器のメイン電源を自動的にオンさせることができるので、ユーザが一旦部屋を離
れる場合に照明を消灯した時に、当該機器のメイン電源がオフされても、設定時間内に、
もう一度部屋に戻って照明を点灯させた時に、当該機器のメイン電源が自動的にオンされ
、これにより、当該機器のメイン電源を入れ直すリモコン操作の必要が無くなって便利に
なり、また、照明が消灯されている間は当該機器のメイン電源はオフされているので、省
電力化も図れる。
【００２２】
請求項３の発明では、請求項２の発明において、前記光変化検出手段は、光センサから
の検出信号を入力し該検出信号を増幅する増幅回路と、この増幅回路で増幅された検出信
号の急激なレベル変化をした時の検出信号のみを通過させるカップリングコンデンサと、
このカップリングコンデンサを通過した検出信号をパルス状に波形整形するシュミットト
リガ回路と、このシュミットトリガ回路からのパルス状の検出信号のレベルと調整可能な
基準レベルとを比較して該検出信号のレベルが基準レベル以下の時に消灯検出信号を出力
すると共に該検出信号のレベルが基準レベルを超える時に点灯検出信号を出力する比較回
路と有する。
【００２３】
したがって、前記光変化検出手段は、部屋の照明が点灯状態から消灯状態になった時に
、急激な明るさの変化（急激に暗くなった状態）により生じた検出信号を消灯検出信号と
して出力することが可能になり、また、部屋の照明が消灯状態から点灯状態になった時に
、急激な明るさの変化（急激に明るくなった状態）により生じた検出信号を点灯検出信号
として出力することが可能になる。
【発明の効果】
【００２４】
以上のように本発明によれば、音声信号を再生して出力、または音声信号および映像信
号を再生して出力する電子機器において、当該機器が設置されている部屋の明るさに応じ
た検出信号を出力する光センサと、この光センサからの検出信号を入力し該検出信号を増
幅する増幅回路と、この増幅回路で増幅された検出信号の急激なレベル変化をした時の検
出信号のみを通過させるカップリングコンデンサと、このカップリングコンデンサを通過
した検出信号をパルス状に波形整形するシュミットトリガ回路と、このシュミットトリガ
回路からのパルス状の検出信号のレベルと調整可能な基準レベルとを比較して該検出信号
のレベルが基準レベル以下の時に消灯検出信号を出力すると共に該検出信号のレベルが基
準レベルを超える時に点灯検出信号を出力する比較回路と有し、部屋の照明が点灯状態か
ら消灯状態になった時に前記光センサからの検出信号のレベル変化により消灯検出信号を
出力すると共に、部屋の照明が消灯状態から点灯状態になった時に前記光センサからの検
出信号のレベル変化により点灯検出信号を出力する光変化検出手段と、前記消灯検出信号
を入力した時はメイン電源スイッチ回路をオフ動作させることによりメイン電源をオフさ
せると共に、設定時間内に前記点灯検出信号を入力した時はメイン電源スイッチ回路をオ
ン動作させることによりメイン電源をオンさせる電源制御手段とを有する照明検出回路を
備えたので、当該機器が設置されている部屋の照明を消灯した時に、当該機器のメイン電
源を自動的にオフすることができるので、省電力化を図ることができ、機器の寿命にも影
響を与えることが無くなる。また、照明を点灯させた時に、設定時間内であれば、当該機
器のメイン電源を自動的にオンさせることができるので、ユーザが一旦部屋を離れる場合
に照明を消灯した時に、当該機器のメイン電源がオフされても、設定時間内に、もう一度
部屋に戻って照明を点灯させた時に、当該機器のメイン電源が自動的にオンされ、これに
より、当該機器のメイン電源を入れ直すリモコン操作の必要が無くなって便利になり、ま
た、照明が消灯されている間は当該機器のメイン電源はオフされているので、省電力化も
図れる。
【００２５】
また、本発明によれば、音声信号を再生して出力、または音声信号および映像信号を再
生して出力する電子機器において、当該機器が設置されている部屋の明るさに応じた検出
信号を出力する光センサと、部屋の照明が点灯状態から消灯状態になった時に前記光セン
サからの検出信号のレベル変化により消灯検出信号を出力すると共に、部屋の照明が消灯
状態から点灯状態になった時に前記光センサからの検出信号のレベル変化により点灯検出
信号を出力する光変化検出手段と、前記消灯検出信号を入力した時はメイン電源スイッチ
回路をオフ動作させることによりメイン電源をオフさせると共に、設定時間内に前記点灯
検出信号を入力した時はメイン電源スイッチ回路をオン動作させることによりメイン電源
をオンさせる電源制御手段とを有する照明検出回路を備えたので、当該機器が設置されて
いる部屋の照明を消灯した時に、当該機器のメイン電源を自動的にオフすることができ、
これにより、省電力化を図ることができ、機器の寿命にも影響を与えることが無くなる。
また、照明を点灯させた時に、設定時間内であれば、当該機器のメイン電源を自動的にオ
ンさせることができるので、ユーザが一旦部屋を離れる場合に照明を消灯した時に、当該
機器のメイン電源がオフされても、設定時間内に、もう一度部屋に戻って照明を点灯させ
た時に、当該機器のメイン電源が自動的にオンされ、これにより、当該機器のメイン電源
を入れ直すリモコン操作の必要が無くなって便利になり、また、照明が消灯されている間
は当該機器のメイン電源はオフされているので、省電力化も図れる。
【発明を実施するための最良の形態】
【００２６】
以下、添付図面を参照しつつ、本発明の実施の形態について説明する。図１は本発明の
一実施形態に係る電子機器としてのＤＶＤレコーダの構成を示すブロック図である。ここ
では、ＤＶＤレコーダの構成について説明するが、本実施形態の特徴とする照明検出回路
は、ＤＶＤレコーダに限らず、ＤＶＤプレイヤ、ＣＤプレイヤ、ステレオ装置、ビデオカ
セットレコーダなどの電子機器に適用できることは言うまでもない。
【００２７】
このＤＶＤレコーダは、ＤＶＤやＣＤの光ディスク１を回転させるスピンドルモータ５
と、光ディスク１に対して情報の記録／再生を行うためのレーザ光を出射すると共に光デ
ィスク１からの反射光を受光する光ピックアップ２と、この光ピックアップ２を光ディス
ク１の半径方向に移動させるためのスレッド３と、システムコントローラ２２の指示に応
じてスピンドルモータ５およびスレッド３を駆動すると共に光ピックアップ２に内蔵され
た対物レンズ（図示せず）を動かすことによりレーザ光の焦点位置を光ディスク１の記録
面に対して垂直方向および水平方向に移動させる制御を行うサーボ制御部４とを備えてい
る。
【００２８】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２９】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００３０】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して図示しない音声回路を介して例えばスピーカ１９に供給するＤ／Ａ変換器１６とを
備えている。
【００３１】
また、このＤＶＤレコーダは、システムコントローラ２２に対して赤外線信号により、
再生指示を与えるための再生キー、記録指示を与えるための記録キー、再生停止や記録停
止を指示するための停止キー、および電源キーなどの各種操作キーを有するリモコン２１
と、装置全体を制御する前記システムコントローラ２２とを備えている。
【００３２】
また、このＤＶＤレコーダは、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４と、このＣＰＵ２４の処理に必要なデータを一時的に格納するＲＡＭ２７
とを備えている。
【００３３】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００３４】
また、このＤＶＤレコーダは、待機時に特定の構成要素に電源を供給する待機電源２９
と、動作時に各構成要素に電源を供給するメイン電源３１と、リモコン２１の電源キーの
押下に応答したシステムコントローラ２２の電源制御信号によりメイン電源３１をオンま
たはオフさせるメイン電源スイッチ回路２８と、本実施形態の特徴とする照明検出回路３
０とを備えている。システムコントローラ２２、メイン電源スイッチ回路２８、および照
明検出回路３０は、メイン電源３１がオフ状態でも待機電源２９により動作可能になるよ
うになっている。
【００３５】
図２は前記照明検出回路３０の構成を説明するためのブロック図である。図２において
、照明検出回路３０は、当該ＤＶＤレコーダが設置されている部屋の明るさに応じた検出
信号を出力する光センサ３０１と、部屋の照明が点灯状態から消灯状態になった時に光セ
ンサ３０１からの検出信号のレベル変化により消灯検出信号を出力すると共に、部屋の照
明が消灯状態から点灯状態になった時に光センサ３０１からの検出信号のレベル変化によ
り点灯検出信号を出力する光変化検出手段３０２と、前記消灯検出信号を入力した時はメ
イン電源スイッチ回路２８をオフ動作させることによりメイン電源３１をオフさせると共
に、設定時間内に前記点灯検出信号を入力した時はメイン電源スイッチ回路２８をオン動
作させることによりメイン電源３１をオンさせる電源制御手段３０３とを有する。
【００３６】
図３は前記光変化検出手段３０２を構成する回路の一例を説明するための回路図である
。なお、この光変化検出手段３０２の回路は以下で示すものに限ることはなく、同様な動
作を行うことができるような回路であれば良い。
【００３７】
図３において、光変化検出手段３０２は、光センサ３０１のフォトダイオードＤからの
検出信号を入力し該検出信号を増幅する増幅回路（反転増幅器）Ａと、この増幅回路Ａで
増幅された検出信号の急激なレベル変化をした時の検出信号のみを通過させるカップリン
グコンデンサＣと、このカップリングコンデンサＣを通過した検出信号をパルス状に波形
整形するシュミットトリガ回路Ｓと、このシュミットトリガ回路Ｓからのパルス状の検出
信号のレベルと調整可能な基準レベルとを比較して該検出信号のレベルが基準レベル以下
の時に消灯検出信号を出力すると共に該検出信号のレベルが基準レベルを超える時に点灯
検出信号を出力する比較回路Ｂと有する。
【００３８】
増幅回路Ａの反転入力端子（−端子）には、フォトダイオードＤのカソード、抵抗Ｒ１
の一端、および抵抗Ｒ２の一端が接続されている。フォトダイオードＤのアノードおよび
抵抗Ｒ１の他端は接地されている。増幅回路Ａの非反転入力端子（＋端子）は接地され、
その出力端子には、抵抗Ｒ２の他端およびカップリングコンデンサＣの一端が接続されて
いる。カップリングコンデンサＣの他端はシュミットトリガ回路Ｓの入力端子に接続され
、シュミットトリガ回路Ｓの出力端子は抵抗Ｒ４を介して比較回路Ｂの反転入力端子（−
端子）に接続されている。
【００３９】
比較回路Ｂの非反転入力端子（＋端子）は抵抗Ｒ５と可変抵抗Ｒ６との接続点に接続さ
れ、その出力端子は電源制御手段３０３の入力端子に接続されている。可変抵抗Ｒ６の他
端は接地され、抵抗Ｒ５の他端はツェナーダイオードＺのカソードおよび抵抗Ｒ３の一端
に接続されている。ツェナーダイオードＺのアノードは接地され、抵抗Ｒ３の他端には電
圧＋Ｖが供給されている。
【００４０】
図４は本実施形態において照明検出回路３０の動作を説明するためのフローチャートで
ある。このフローチャートおよび図１〜図３を参照して照明検出回路３０の動作について
説明する。
【００４１】
先ず、この照明検出回路３０が備えられたＤＶＤレコーダを待機電源２９だけで待機状
態の動作を保っているスタンバイ状態に設定されている時に（ステップＳ１）、リモコン
２１の電源キーを押下して装置のメイン電源３１をオンする。即ち、リモコン２１の電源
キーが押下されると、システムコントローラ２２は、メイン電源スイッチ回路２８をオン
動作させ、これによりメイン電源３１をオンする（ステップＳ２）。
【００４２】
このようにメイン電源３１がオンされ、ＤＶＤレコーダが再生や停止状態になっている
時に、部屋の照明が消灯されると、照明検出回路３０の光センサ３０１のフォトダイオー
ドＤには光が当たらなくなって、フォトダイオードＤには電流が流れなくなるので、増幅
回路Ａでは、反転入力端子の電位が急激に上がり、出力端子の電位は急激に下がる。即ち
、増幅回路Ａの出力端子からは、急激にハイレベルからローレベルに変化した検出信号が
出力されることになる。そして、この検出信号は、過度現象によりカップリングコンデン
サＣを通過して、更にシュミットトリガ回路Ｓでパルス状に波形整形される。
【００４３】
シュミットトリガ回路Ｓによりパルス状に波形整形されたローパルス状の検出信号のレ
ベルは、比較回路Ｂの非反転入力端子に与えられている基準レベル（基準電圧）と比較さ
れ、基準レベル以下であると、ハイレベルの信号を消灯検出信号として出力する。照明検
出回路３０は、前記消灯検出信号が光変化検出手段３０２から出力されることにより、部
屋の照明が消灯されたことを検出し（ステップＳ３）、比較回路Ｂから電源制御手段３０
３に前記消灯検出信号を供給する。電源制御手段３０３は、ハイレベルの消灯検出信号に
よりメイン電源スイッチ回路２８をオフ動作させ、メイン電源３１をオフさせる（ステッ
プＳ４）。これにより、このＤＶＤレコーダはスタンバイ状態になる（ステップＳ５）。
【００４４】
このように部屋の照明が消灯され、このＤＶＤレコーダがスタンバイ状態になっている
時に、部屋の照明が点灯されると、照明検出回路３０の光センサ３０１のフォトダイオー
ドＤには光が当たり、フォトダイオードＤには電流が流れるので、増幅回路Ａでは、反転
入力端子の電位が急激に下がり、出力端子の電位は急激に上がる。即ち、増幅回路Ａの出
力端子からは、急激にローレベルからハイレベルに変化した検出信号が出力されることに
なる。そして、この検出信号は、過度現象によりカップリングコンデンサＣを通過して、
更にシュミットトリガ回路Ｓでパルス状に波形整形される。
【００４５】
シュミットトリガ回路Ｓによりパルス状に波形整形されたハイパルス状の検出信号のレ
ベルは、比較回路Ｂの非反転入力端子に与えられている基準レベル（基準電圧）と比較さ
れ、基準レベルを超えると、ローレベルの信号を点灯検出信号として出力する。照明検出
回路３０は、前記点灯検出信号が光変化検出手段３０２から出力されることにより、部屋
の照明が点灯されたことを検出し（ステップＳ６）、比較回路Ｂから電源制御手段３０３
に前記点灯検出信号を供給する。電源制御手段３０３は、設定時間内のローレベルの点灯
検出信号が有れば、メイン電源スイッチ回路２８をオン動作させ、メイン電源３１をオン
させる（ステップＳ２）。
【００４６】
前記設定時間が０時間になっている場合や、照明が消灯されてから次に点灯されるまで
の経過時間が設定時間を超えている場合は、電源制御手段３０３が点灯検出信号を入力し
ても、メイン電源スイッチ回路２８をオン動作させる制御信号は出力しないので、メイン
電源３１はオンされない。このような設定時間は、リモコン操作で設定できるように構成
すれば、設定可能になる。
【００４７】
なお、照明が消灯され室内が暗くなった場合、ステップＳ４の処理により装置のメイン
電源３１がオフされるが、室内が暗い状態でメイン電源３１をオンさせたい場合がある。
このような場合には、リモコン２１の電源キーを押下すれば、システムコントローラ２２
がメイン電源スイッチ回路２８をオン動作させ、メイン電源３１をオンさせることができ
る。
【００４８】
また、照明を消灯した場合に、装置のメイン電源３１をオフさせるが、消灯した時の室
内の暗さが家庭によって異なるので、消灯した時の暗さ程度に応じて装置のメイン電源３
１をオフさせる動作を行えるように、光変化検出手段３０２の比較回路Ｂの非反転入力端
子に接続されている可変抵抗Ｒ６を調整すれば、基準レベルが変化するので、暗さ程度に
応じて消灯検出信号を比較回路Ｂから出力させることができ、これにより、消灯した時の
暗さ程度に応じて装置のメイン電源３１をオフさせることが可能になる。この可変抵抗Ｒ
６は、例えば、その摘み部分を本体前面パネルから突出させたり、表示部にメニュー設定
で変更させたりするように構成すれば、可変抵抗Ｒ６の抵抗値を調整することが可能にな
る。
【００４９】
また、自然光により徐々に室内が明るくなったり、徐々に暗くなったりしても、装置の
メイン電源３１がオン／オフしないのは、照明検出回路３０において、フォトダイオード
Ｄに当たる光の光量が徐々に変化して、増幅回路Ａの出力信号も徐々に変化するが、この
ような徐々に変化する信号がカップリングコンデンサＣに与えられても、ほぼ定常状態と
同じであるので、その信号はシュミットトリガ回路Ｓには伝達されない。したがって、比
較回路Ｂの出力は何ら変化しないので、自然光により徐々に室内が明るくなったり、徐々
に暗くなったりしても、装置のメイン電源３１がオン／オフしないことになる。
【００５０】
以上説明したように本実施形態によれば、当該機器が設置されている部屋の照明を消灯
した時に、当該機器のメイン電源を自動的にオフすることができるので、省電力化を図る
ことができ、機器の寿命にも影響を与えることが無くなる。また、照明を点灯させた時に
、設定時間内であれば、当該機器のメイン電源をオンさせることができるので、ユーザが
一旦部屋を離れる場合に照明を消灯した時に、当該機器のメイン電源がオフされても、設
定時間内に、もう一度部屋に戻って照明を点灯させた時に、当該機器のメイン電源が自動
的にオンされ、これにより、当該機器のメイン電源を入れ直すリモコン操作の必要が無く
なって便利になり、また、照明が消灯されている間は当該機器のメイン電源はオフされて
いるので、省電力化も図れる。
【図面の簡単な説明】
【００５１】
【図１】本発明の一実施形態に係る電子機器としてのＤＶＤレコーダの構成を示すブロック図である。
【図２】図１中の照明検出回路の構成を説明するためのブロック図である。
【図３】図２中の光変化検出手段を構成する回路の一例を説明するための回路図である。
【図４】前記実施形態において照明検出回路の動作を説明するためのフローチャートである。
【符号の説明】
【００５２】
２８    メイン電源スイッチ回路
３０    照明検出回路
３１    メイン電源
３０１    光センサ
３０２    光変化検出手段
３０３    電源制御手段
Ａ    増幅回路
Ｂ    比較回路
Ｃ    カップリングコンデンサ
Ｓ    シュミットトリガ回路
【図１】
2007095127.tif 000003
【図２】
2007095127.tif 000004
【図３】
2007095127.tif 000005
【図４】
2007095127.tif 000006